(57)【特許請求の範囲】
【請求項１】
電子装置で高周波送信を受信するための方法であって、
電子装置のアンテナで、少なくとも第１及び第２の各通信帯域における少なくとも第１及び第２のデータストリームを受信し、
ダイプレクサで、前記第１のデータストリームを第１の受信器へルーティングし、且つ前記第２のデータストリームを第２の受信器へルーティングし、
前記第１の受信器を使用して前記第１のデータストリームを、そして前記第２の受信器を使用して前記第２のデータストリームを同時に受信し、  前記電子装置の基本帯域プロセッサ回路で、前記第１の受信器により受信した前記第１のデータストリームを、前記第２の受信器により受信した前記第２のデータストリームと合成し、
前記第１の受信器と前記ダイプレクサとの間に挿入されたスイッチング回路で、前記第１のデータストリームを受信し、
前記スイッチング回路で、前記第１のデータストリームを、前記第１の通信帯域に関連したデュープレクサへルーティングし、及び
前記デュープレクサで、前記デュープレクサと前記第１の受信器との間に挿入された付加的なスイッチング回路へ前記第１のデータストリームをルーティングする、
ことを含む方法。
【請求項２】
前記ダイプレクサはローパスフィルタを含み、
前記第１のデータストリームを第１の受信器へルーティングすることは、
前記ローパスフィルタで、前記第１のデータストリームを前記第１の受信器へルーティングし、そして前記第２のデータストリームが前記第１の受信器に到達するのをブロックすることを含む、請求項１に記載の方法。
【請求項３】
前記ダイプレクサはハイパスフィルタを含み、
前記第２のデータストリームを第２の受信器へルーティングすることは、
前記ハイパスフィルタで、前記第２のデータストリームを前記第２の受信器へルーティングし、そして前記第１のデータストリームが前記第２の受信器に到達するのをブロックすることを含む、請求項１に記載の方法。
【請求項４】
前記第１のデータストリームを前記第１の受信器へルーティングするように前記付加的なスイッチング回路を構成することを更に含む、請求項１に記載の方法。
【請求項５】
前記第１の受信器で、前記第１のデータストリームを復調し、及び
前記第２の受信器で、前記第２のデータストリームを復調する、
ことを更に含む請求項１に記載の方法。
【請求項６】
第１の通信帯域で動作するように構成された第１の高周波受信器と、
第２の通信帯域で動作するように構成された第２の高周波受信器と、
少なくとも第１の通信帯域において第１のデータストリームを及び第２の通信帯域において第２のデータストリームを受信するように構成されたアンテナと、
前記第１の高周波受信器に結合された第１ポート、前記第２の高周波受信器に結合された第２ポート、及び前記アンテナに結合された第３ポートを有するダイプレクサと、
前記第１の高周波受信器から前記第１のデータストリームを及び前記第２の高周波受信器から前記第２のデータストリームを同時に受信するように構成された基本帯域回路と、
伝送信号を生成する機能を有する高周波送信器と、
前記ダイプレクサの第１ポートに結合されたスイッチ（６４ＬＢ）と、
前記ダイプレクサと前記第１の高周波受信器との間に挿入されたデュープレクサであって、前記第１のデータストリームを前記第１の高周波受信へルーティングするよう構成され、且つ前記高周波送信器から前記スイッチへ前記伝送信号を送るように機能する当該デュープレクサと、
前記デュープレクサと前記第１の高周波受信器との間に挿入されたマルチプレクサであって、前記デュープレクサは、前記第１のデータストリームを、前記マルチプレクサを介して前記第１の高周波受信器へルーティングするように構成されている当該マルチプレクサと、
を備えたワイヤレス通信回路。
【請求項７】
前記第１の高周波受信器は、ＬＴＥ帯域１７で動作するように構成された長期進化（ＬＴＥ）セルラー電話受信器を含み、そして前記第２の高周波受信器は、ＬＴＥ帯域４で動作するように構成されたＬＴＥセルラー電話受信器を含む、請求項６に記載のワイヤレス通信回路。
【請求項８】
前記ダイプレクサは、ローパスフィルタ及びハイパスフィルタを含む、請求項６に記載のワイヤレス通信回路。
【請求項９】
前記ローパスフィルタは、前記第２のデータストリームに関連した周波数を通過させずに、前記第１のデータストリームに関連した周波数を通過させるように構成された、請求項８に記載のワイヤレス通信回路。
【請求項１０】
前記ハイパスフィルタは、前記第１のデータストリームに関連した周波数を通過させずに、前記第２のデータストリームに関連した周波数を通過させるように構成された、請求項９に記載のワイヤレス通信回路。
【請求項１１】
前記ダイプレクサと前記第２の高周波受信器との間に挿入されて、前記第２のデータストリームを前記第２の高周波受信器へルーティングするよう構成された追加のデュープレクサと、を更に含む請求項８に記載のワイヤレス通信回路。
【請求項１２】
前記第１の高周波受信器及び第２の高周波受信器に結合された発振回路であって、前記第１のデータストリームに関連した第１周波数の第１信号を前記第１の高周波受信器に与えるように構成されると共に、前記第２のデータストリームに関連した第２周波数の第２信号を前記第２の高周波受信器に与えるように構成された発振回路を更に含む、請求項１１に記載のワイヤレス通信回路。
【請求項１３】
ワイヤレス通信回路を動作する方法であって、
第１の通信帯域における第１のデータストリーム及び第２の通信帯域における第２のデータストリームの同時受信を準備するようワイヤレス通信回路に指令する命令をベースステーションから受信し、
前記ベースステーションからの命令の受信に応答して、第１の信号経路及び第２の信号経路を形成するように前記ワイヤレス通信回路のスイッチング回路を構成し、
前記ワイヤレス通信回路のアンテナで前記第１及び第２のデータストリームを受信し、
前記ワイヤレス通信回路のダイプレクサで、第１のデュープレクサを含む前記第１の信号経路を通して前記第１のデータストリームをルーティングすると共に、第２のデュープレクサを含む前記第２の信号経路を通して前記第２のデータストリームをルーティングし、
前記第１の信号経路に結合された第１の受信器で前記第１のデータストリームを、及び前記第２の信号経路に結合された第２の受信器で前記第２のデータストリームを同時に受信し、及び
追加のスイッチング回路で、送信器からの信号を、第１のデュープレクサ及び第２のデュープレクサのうちから選択した１つを経由しながら前記アンテナまでルーティングする、
ことを含む方法。
【請求項１４】
前記ベースステーションから命令を受信することは、キャリアアグリゲーションモードで動作する命令を前記ベースステーションから受信することを含む、請求項１３に記載の方法。
【請求項１５】
前記ダイプレクサはローパスフィルタを含み、そして前記第１信号経路を経て前記第１のデータストリームをルーティングすることは、前記ローパスフィルタで前記第１データストリームを前記第２データストリームから分離することを含む、請求項１３に記載の方法。
【請求項１６】
前記ダイプレクサは、更に、ハイパスフィルタを含み、そして
前記第２信号経路を経て前記第２のデータストリームをルーティングすることは、前記ハイパスフィルタで前記第２データストリームを前記第１データストリームから分離することを含む、請求項１５に記載の方法。
【請求項１７】
第１の発振回路で、前記第１の通信帯域に関連した第１周波数における第１の局部発振信号を前記第１の受信器へ供給し、及び
第２の発振回路で、前記第２の通信帯域に関連した第２周波数における第２の局部発振信号を前記第２の受信器へ供給する、ことを更に含む、請求項１３に記載の方法。
【請求項１８】
基本帯域回路で、前記第１及び第２の受信器から前記第１及び第２のデータストリームを受信し、及び
前記第１及び第２のデータストリームを合成して、単一データストリームを形成する、ことを更に含む、請求項１３に記載の方法。
【発明の詳細な説明】
【技術分野】
【０００１】
本発明は、全般的に、ワイヤレス通信回路に関するもので、より詳細には、高調波周波数からの干渉を減少すると同時に、異なる周波数帯域の高周波送信を受信するワイヤレス電子装置の回路に関する。
【０００２】
本出願は、引用としてここにそのまま援用する２０１１年７月１４日に出願された米国特許出願第１３／１８３，４１３号の優先権を主張するものである。
【背景技術】
【０００３】
コンピュータ及びセルラー電話のような電子装置には、ワイヤレス通信能力がしばしば設けられる。例えば、電子装置は、セルラー電話回路のような長距離ワイヤレス通信回路を使用する。グローバルポジショニングシステム（ＧＰＳ）の受信回路及び他の衛星受信回路は、衛星ナビゲーション信号を受信するのに使用される。２．４ＧＨｚ及び５ＧＨｚのＩＥＥＥ８０２．１１通信のようなローカルエリアネットワーク通信をサポートするためにローカルワイヤレスリンクが使用される。又、このローカルリンクは、２．４ＧＨｚのＢｌｕｅｔｏｏｔｈ（登録商標）通信を取り扱うのにも使用される。
【０００４】
装置が多数の帯域をサポートすることがしばしば要望される。例えば、セルラー電話のユーザは、１つ以上の異なるセルラー電話帯域を使用してセルラー電話タワーと通信することを希望すると共に、ワイヤレスローカルエリアネットワーク（ＷＬＡＮ）通信帯域を使用してローカルエリアネットワーク装置と通信することを希望する。
【０００５】
多数の帯域をサポートするときには、構成可能なスイッチング回路を使用して信号をルーティングすることが時々望まれる。例えば、多数のトランシーバポート付きのトランシーバを有する装置では、スイッチを使用して、トランシーバポートの選択された１つをアンテナに選択的に結合することができる。この形式の構成は、希望の動作帯域に基づいて装置を異なる仕方で構成できるようにする。例えば、第１の通信帯域の使用を望む場合には、スイッチを第１状態に入れると、第１のトランシーバポートがアンテナに結合される。第２の通信帯域の使用を望む場合には、スイッチを第２状態に入れると、第２のトランシーバポートがアンテナに結合される。
【０００６】
高周波スイッチは、非直線的振舞いを示すトランジスタのようなコンポーネントに基づくものである。その結果、スイッチを通して高周波信号が伝達されるときには、望ましからぬ高調波が発生される。例えば、送信される高周波信号の第２高調波、第３高調波及びそれより高い高調波が発生される。注意を払わないと、これらの高調波信号は、装置内の受信回路の動作を妨げることがある。例えば、セルラー電話信号の送信中に発生される高調波は、衛星ナビゲーション受信器又はワイヤレスローカルエリアネットワーク受信器の適切な動作を妨げることがある。
【０００７】
ワイヤレス装置は、２つ以上の周波数帯域において高周波送信を同時に受信する必要がある。例えば、長期進化（ＬＴＥ）プロトコルを使用してベースステーションと通信するワイヤレスセルラー装置は、２つの別々のＬＴＥ帯域においてベースステーションから高周波送信を受信する必要がある。
【発明の概要】
【発明が解決しようとする課題】
【０００８】
そのような環境でワイヤレス通信を取り扱うために、ワイヤレス電子装置の高周波トランシーバポートとアンテナ構造体との間で信号をルーティングする改良された回路を提供できることが望まれる。
【課題を解決するための手段】
【０００９】
電子装置には、ワイヤレス通信回路が設けられる。ワイヤレス通信回路は、ワイヤレス通信を取り扱うための高周波トランシーバ回路を含む。この高周波トランシーバは、複数の送信器と複数の受信器を有する。信号を送信及び受信するためにアンテナ構造体が使用される。
【００１０】
アンテナ構造体は、高周波トランシーバ回路の送信器及び受信器に結合される。第１及び第２の高周波スイッチのようなスイッチング回路を使用して、複数の当該通信帯域をサポートする。第１及び第２の高周波スイッチは、望ましい周波数を使用するようスイッチするためにリアルタイムで構成される。
【００１１】
低帯域送信器及び受信器のセットが第１スイッチに関連付けられ、そして高帯域送信器及び受信器のセットが第２スイッチに関連付けられる。周波数ｆの送信信号がそれらスイッチを通過するとき、送信信号の２ｆ、３ｆ及び他の整数倍の高調波が発生される。
【００１２】
第１及び第２スイッチとアンテナ構造体との間にはダイプレクサ(diplexer)が挿入される。このダイプレクサは、第１の高周波スイッチに結合された第１ポート、第２の高周波スイッチに結合された第２ポート、及びアンテナ構造体の１つ以上のアンテナに結合された第３ポートを有する。
【００１３】
ダイプレクサは、低帯域送信器及び受信器に関連した低帯域フィルタと、高帯域送信器及び受信器に関連した高帯域フィルタとを備えている。低帯域フィルタは、第１スイッチとアンテナ構造体との間に結合されたローパスフィルタである。このローパスフィルタは、第１スイッチを出た送信信号の高調波がアンテナ構造体に到達するのを防止する。ダイプレクサは、セラミック基板上に実施されるフィルタのような高度な直線性を示す高帯域及び低帯域フィルタを含む。セラミック基板を伴うフィルタのような高度な直線性のフィルタは、他のフィルタ設計に比して望ましからぬ高調波を発生する傾向が低い。
【００１４】
高帯域フィルタは、ハイパスフィルタ又はバンドパスフィルタである。バンドパスフィルタを使用して実施されたとき、高帯域フィルタは、第２スイッチを出た送信信号の高調波がアンテナ構造体に到達するのを防止する。
【００１５】
ダイプレクサは、低帯域を第１受信器へ、及び高帯域を第２受信器へ通過させるように構成される。このように、第１周波数帯域は、第１受信器によって受信されて処理され、そして第２周波数帯域は、第２周波数帯域によって受信されて処理される。
【００１６】
本発明の更に別の特徴、その特性及び種々の効果は、添付図面及び好ましい実施形態の以下の詳細な説明から明らかとなるであろう。
【図面の簡単な説明】
【００１７】
【図１】本発明の一実施形態によるワイヤレス通信回路をもつ電子装置を例示する回路図である。
【図２】本発明の一実施形態による図１に示す形式の電子装置内で高周波トランシーバ回路を１つ以上のアンテナにどのように結合するか示す図である。
【図３】本発明の一実施形態による図１の電子装置においてワイヤレス通信を取り扱うのに使用される形式のワイヤレス通信回路を例示する回路図である。
【図４】本発明の一実施形態による図３のワイヤレス回路内のダイプレクサに使用される例示的低帯域フィルタの動作周波数の関数として高周波信号送信を示すグラフである。
【図５】本発明の一実施形態による図３のワイヤレス回路内のダイプレクサに使用される例示的高帯域フィルタの動作周波数の関数として高周波信号送信を示すグラフである。
【図６】本発明の一実施形態により異なる周波数帯域において高周波送信を同時に受信するように構成されたワイヤレス通信回路を例示する回路図である。
【図７】本発明の一実施形態により図６のワイヤレス通信回路のようなワイヤレス通信回路で同時に受信される周波数帯域を例示するグラフである。
【図８】本発明の一実施形態により異なる周波数帯域で高周波送信を同時に受信するためにワイヤレス電子装置で実行されるステップを例示するフローチャートである。
【発明を実施するための形態】
【００１８】
図１の装置１０のような電子装置には、ワイヤレス通信回路が設けられる。そのワイヤレス通信回路は、セルラー電話帯域における通信のような長距離ワイヤレス通信をサポートするのに使用されるものである。装置１０により取り扱われる長距離（セルラー電話）帯域は、例えば、８００ＭＨｚ帯域、８５０ＭＨｚ帯域、９００ＭＨｚ帯域、１８００ＭＨｚ帯域、１９００ＭＨｚ帯域、２１００ＭＨｚ帯域、７００ＭＨｚ帯域、及び他の帯域を含む。装置１０により使用される長距離帯域は、いわゆるＬＴＥ（長期進化）帯域を含む。ＬＴＥ帯域は、番号付けされ（例えば、１、２、３、等）、そしてＥ−ＵＴＲＡ動作帯域とも称される。衛星ナビゲーション帯域に関連した信号のような長距離信号は、装置１０のワイヤレス通信回路により受信される。例えば、装置１０は、このワイヤレス回路を使用して、グローバルポジショニングシステム（ＧＰＳ）通信に関連した１５７５ＭＨｚ帯域の信号を受信する。又、短距離ワイヤレス通信も、装置１０のワイヤレス回路によりサポートされる。例えば、装置１０は、２．４ＧＨｚ及び５ＧＨｚのＷｉＦｉ（登録商標）リンク、２．４ＧＨｚのＢｌｕｅｔｏｏｔｈ（登録商標）リンク、等のローカルエリアネットワークリンクを取り扱うためのワイヤレス回路を備えている。
【００１９】
図１に示すように、装置１０は、記憶及び処理回路２８を備えている。この記憶及び処理回路２８は、ハードディスクドライブ記憶装置、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等の記憶装置を含む。記憶及び処理回路２８の処理回路は、装置１０の動作をコントロールするのに使用される。この処理回路は、１つ以上のマイクロプロセッサ、マイクロコントローラ、デジタル信号プロセッサ、特定用途向け集積回路、等をベースとする。
【００２０】
記憶及び処理回路２８は、装置１０のソフトウェア、例えば、インターネットブラウズアプリケーション、ボイスオーバーインターネットプロトコル（ＶＯＩＰ）電話コールアプリケーション、ｅ−メールアプリケーション、メディアプレイバックアプリケーション、オペレーティングシステム機能、高周波送信及び受信中の通信帯域選択に関連した機能、等を実行するのに使用される。外部装置との相互作用をサポートするために、記憶及び処理回路２８は、通信プロトコルを実施するのに使用される。記憶及び処理回路２８を使用して実施される通信プロトコルは、インターネットプロトコル、ワイヤレスローカルエリアネットワークプロトコル（例えば、ＩＥＥＥ８０２．１１プロトコル−−ＷｉＦｉ(登録商標)とも称される）、Ｂｌｕｅｔｏｏｔｈ(登録商標)プロトコルのような他の短距離ワイヤレス通信リンクのためのプロコル、セルラー電話プロトコル、ＭＩＭＯ（多入力多出力）プロトコル、アンテナダイバーシティプロトコル、等を含む。通信帯域選択動作のようなワイヤレス通信動作は、装置１０に記憶されて実行される（即ち、記憶及び処理回路２８及び／又は入力−出力回路３０に記憶されて実行される）ソフトウェアを使用してコントロールされる。
【００２１】
入力−出力回路３０は、入力−出力装置３２を含む。入力−出力装置３２は、装置１０へデータを供給できるようにし且つ装置１０から外部装置へデータを提供できるようにするために使用される。入力−出力装置３２は、ユーザインターフェイス装置、データポート装置、及び他の入力−出力コンポーネントを含む。例えば、入力−出力装置は、タッチスクリーン、タッチセンサ能力をもたないディスプレイ、ボタン、ジョイスティック、クリックホイール、スクロールホイール、タッチパッド、キーパッド、キーボード、マイクロホン、カメラ、ボタン、スピーカ、状態インジケータ、光源、オーディオジャック及び他のオーディオポートコンポーネント、デジタルデータポート装置、光センサ、モーションセンサ（加速度計）、キャパシタンスセンサ、接近センサ、等を含む。
【００２２】
入力−出力回路３０は、外部装置とワイヤレス通信するためのワイヤレス通信回路３４を含む。ワイヤレス通信回路３４は、１つ以上の集積回路で形成された高周波（ＲＦ）トランシーバ回路、電力増幅回路、低ノイズ入力増幅器、受動的ＲＦコンポーネント、１つ以上のアンテナ、伝送線、及びＲＦワイヤレス信号を取り扱うための他の回路を含む。又、ワイヤレス信号は、光を使用して（例えば、赤外線通信を使用して）送信されてもよい。
【００２３】
ワイヤレス通信回路３４は、種々の高周波通信帯域を取り扱うための高周波トランシーバ回路９０を含む。例えば、回路３４は、トランシーバ回路３６、３８及び４２を含む。トランシーバ回路３６は、ＷｉＦｉ(登録商標)（ＩＥＥＥ８０２．１１）通信のための２．４ＧＨｚ及び５ＧＨｚ帯域を取り扱うと共に、２．４ＧＨｚのＢｌｕｅｔｏｏｔｈ(登録商標)通信帯域を取り扱う。回路３４は、（幾つかの例として）８５０ＭＨｚ、９００ＭＨｚ、１８００ＭＨｚ、１９００ＭＨｚ、及び２１００ＭＨｚのようなセルラー電話帯域、及び／又はＬＥＴ帯域及び他の帯域におけるワイヤレス通信を取り扱うためにセルラー電話トランシーバ回路３８を使用する。回路３８は、音声データ及び非音声データを取り扱う。
【００２４】
ワイヤレス通信回路３４は、１５７５ＭＨｚのＧＰＳ信号を受信するか又は他の衛星ポジショニングデータを取り扱うためのＧＰＳ受信回路４２のようなグローバルポジショニングシステム（ＧＰＳ）受信装置を含む。ＷｉＦｉ(登録商標)及びＢｌｕｅｔｏｏｔｈ(登録商標)リンク、並びに他の短距離ワイヤレスリンクにおいて、ワイヤレス信号は、典型的に、数十又は数百フィートにわたってデータを搬送するのに使用される。セルラー電話リンク及び他の長距離リンクでは、ワイヤレス信号は、典型的に、数千フィート又はマイルにわたってデータを搬送するのに使用される。
【００２５】
ワイヤレス通信回路３４は、１つ以上のアンテナ４０を含む。アンテナ４０は、適当なアンテナ形式を使用して形成される。例えば、アンテナ４０は、ループアンテナ構造、パッチアンテナ構造、逆Ｆ字アンテナ構造、スロットアンテナ構造、プレーナ逆Ｆ字アンテナ構造、螺旋アンテナ構造、これら設計の混成、等で形成された共振素子を伴うアンテナを含む。異なる帯域及び帯域の組み合わせのために異なる形式のアンテナが使用されてもよい。例えば、ローカルのワイヤレスリンクアンテナを形成するのに一形式のアンテナが使用され、そしてリモートのワイヤレスリンクアンテナを形成するのに別の形式のアンテナが使用される。
【００２６】
特定の帯域（１つ又は複数）の通信を取り扱うのに複数の冗長性アンテナが使用されるアンテナダイバーシティスキームが実施される。アンテナダイバーシティスキームでは、記憶及び処理回路２８は、信号強度測定値又は他のデータに基づいてどのアンテナを使用すべきかリアルタイムで選択する。多入力多出力（ＭＩＭＯ）スキームでは、多数のアンテナを使用して、多数のデータストリームを送信及び受信し、これにより、データスループットを向上させる。
【００２７】
装置１０においてアンテナ４０が形成される位置が図２に例示されている。図２に示されたように、電子装置１０は、ハウジング１２のようなハウジングを有する。ハウジング１２は、プラスチック壁、金属ハウジング構造体、炭素繊維材又は他の複合物、ガラス、セラミック、又は他の適当な材料から形成された構造体を含む。ハウジング１２は、単一の材料片を使用して（例えば、単一本体構成を使用して）形成されてもよいし、完成したハウジング構造体を形成するためにアッセンブルされるフレーム、ハウジング壁及び他の個々の部品から形成されてもよい。図１に示された装置１０のコンポーネントは、ハウジング１２内にマウントされる。アンテナ構造体４０は、ハウジング１２内にマウントされ、そして必要に応じて、ハウジング１２の部品を使用して形成される。例えば、ハウジング１２は、金属のハウジング壁、導電性の周辺部材、例えば、帯状部材（誘電体ギャップを伴っても伴わなくてもよい）、導電性ベゼル、及びアンテナ構造体４０の形成に使用される他の導電性構造体を含む。
【００２８】
図２に示されたように、アンテナ構造体４０は、経路４５のような経路によりトランシーバ回路９０に結合される。経路４５は、同軸ケーブル、マイクロストリップ伝送線、ストリップライン伝送線、等の伝送線構造を含む。又、経路４５は、インピーダンスマッチング回路、フィルタ回路、及びスイッチング回路も含む。インピーダンスマッチング回路は、当該通信帯域においてアンテナ４０がトランシーバ回路９０に効率的に結合されることを保証するために使用される。フィルタ回路は、ダイプレクサ、デュープレクサ、及びトリプレクサのような周波数ベースのマルチプレクス回路を具現化するのに使用される。スイッチング回路は、トランシーバ回路９０の望ましいポートにアンテナ４０を選択的に結合するのに使用される。例えば、１つの動作モードでは、経路４５の１つを所与のアンテナへ引き回すようにスイッチが構成され、そして別の動作モードでは、経路４５の異なる１つを所与のアンテナへ引き回すようにスイッチが構成される。トランシーバ回路９０とアンテナ４０との間にスイッチング回路を使用することで、装置１０は、限定された数のアンテナで多数の当該通信帯域をサポートすることができる。
【００２９】
細長い長方形輪郭を有するセルラー電話のような装置では、アンテナ４０を装置の一端又は両端に配置することが望ましい。図２に示すように、例えば、アンテナ４０の幾つかは、ハウジング１２の上端領域４２に配置され、又、アンテナ４０の幾つかは、ハウジング１２の下端領域４４に配置される。装置１０のアンテナ構造体は、領域４２の単一アンテナ、領域４４の単一アンテナ、領域４２の複数のアンテナ、領域４４の複数のアンテナを含むか、或いはハウジング１２内のどこかに配置された１つ以上のアンテナを含む。
【００３０】
アンテナ構造体４０は、領域４２及び４４のような幾つかの又は全ての領域内に形成される。例えば、アンテナ４０Ｔ−１のようなアンテナは、領域４２−１内に配置され、或いはアンテナ４０Ｔ−２のようなアンテナは、領域４２−１の若干又は全部を埋めるように形成される。アンテナ４０Ｂ−１のようなアンテナは、領域４４−２の若干又は全部を埋め、或いはアンテナ４０Ｂ−２のようなアンテナは、領域４４−１に形成される。これらの形式の配置は、相互に排他的である必要はない。例えば、領域４４は、アンテナ４０Ｂ−１のような第１のアンテナ及びアンテナ４０Ｂ−２のような第２のアンテナを含んでもよい。
【００３１】
トランシーバ回路９０は、送信器４８のような送信器、及び受信器５０のような受信器を含む。送信器４８及び受信器５０は、１つ以上の集積回路（例えば、セルラー電話通信回路、ワイヤレスローカルエリアネットワーク通信回路、Ｂｌｕｅｔｏｏｔｈ(登録商標)通信回路、衛星ナビゲーションシステム信号の受信回路、送信信号の電力を増加する電力増幅器回路、受信信号の信号電力を増加する低ノイズ増幅回路、他の適当なワイヤレス通信回路、及びそれら回路の組み合わせ）を使用して具現化される。
【００３２】
装置１０は、比較的大きな装置でもよいし（例えば、ハウジング１２の横方向寸法が数十センチメータ以上）、或いはハウジング１２の主軸に沿った長手方向寸法が１５ｃｍ以下、１０ｃｍ以下、又は５ｃｍ以下であり且つ横方向寸法がそれより小さいハンドヘルド装置のような比較的コンパクトな装置でもよい。手首装着、ペンダント及びクリップ装着装置のような小型装置では、ハウジング１２の寸法が１０ｃｍ以下又は５ｃｍ以下である（例えば）。
【００３３】
特に、コンパクトな装置１０のハウジングでは、種々のアンテナを互いに広く分離することが困難又は不可能である。例えば、例えば、あるアンテナ（例えば、図２の例では、アンテナ４０Ｔ−１及び４０Ｔ−２）は、ハウジング１２内で互いに接近して配置される。他のアンテナ（例えば、領域４２のアンテナ構造体及び領域４４のアンテナ構造体）は、装置１０の比較的控え目な長さしか分離されない。
【００３４】
少なくともある装置構成では装置１０内でアンテナが密接に接近しているために、帯域間に干渉が生じるおそれがある。この干渉のおそれは、望ましからぬ高調波周波数を発生し得る経路４５の回路の存在により悪化される。例えば、経路４５のスイッチは、非直線的特性を有し、高周波信号を通過させるときに第２高調波、第３高調波及びそれより高次の高調波の発生を招く。
【００３５】
データ送信動作中に、トランシーバ９０により発生される高周波信号は、経路４５を経てアンテナ４０へ送信される。送信信号は、例えば、トランシーバ９０に関連したポートの１つにおいて周波数ｆで発生される。周波数ｆは、セルラー電話帯域又は他の当該周波数に関連している。経路４５は、トランジスタベーススイッチのようなスイッチを含む。周波数ｆの信号がスイッチ（及び経路４５における他の非直線的回路素子）を通過するときには、２ｆ、３ｆ、４ｆ及びそれより高い周波数の高調波が発生され得る。この状態では、周波数ｆの信号が送信されるのと同時に、２ｆ、３ｆ、４ｆ及びそれより高い高調波の信号が１つのアンテナ（例えば、セルラー電話アンテナ）から送信される。２ｆ、３ｆ及び４ｆの高調波周波数は、次いで、装置の別のアンテナ（例えば、ワイヤレスローカルエリアネットワークアンテナ又は衛星ナビゲーションアンテナ）により受信される。注意を払わないと、周波数ｆの高調波周波数の受信信号は、望ましからぬ干渉を引き起こす。例えば、２ｆ、３ｆ、又は４ｆの受信信号は、受信器５０の１つ（例えば、ワイヤレスローカルエリアネットワーク受信器又は衛星ナビゲーションシステム受信器）の通信帯域内又はその付近に入ることがある。修正しないままにすると、この形式の干渉の存在は、周波数ｆの送信器と、２ｆ、３ｆ、４ｆ又は他の高調波で動作する受信器との満足な同時動作を妨げ得る。
【００３６】
装置１０は、送信信号がアンテナ４０に到達する前にそれに関連した高調波をブロックするフィルタリング回路を経路４５に含ませることにより、この形式の望ましからぬ干渉を減少又は排除する。送信高調波の大きさが実質的に減少されるので、装置１０の他のアンテナ及び受信回路によって受信される高調波の大きさも実質的に減少される。高調波が送信されるのを効果的に防止することにより、信号干渉のおそれが排除され、満足な装置動作が保証される。
【００３７】
フィルタリング回路は、低帯域及び高帯域の送信信号を共通の送信経路へとマルチプレクスするのに使用されるダイプレクサフィルタを含む。信号受信動作中に、ダイプレクサは、受信信号をその周波数に基づいてデマルチプレクスする。ダイプレクサは、低帯域スイッチを通して低帯域トランシーバポートに結合されたローパスフィルタを含む。又、ダイプレクサは、高帯域スイッチを通して高帯域トランシーバポートに結合されたハイパスフィルタ又はバンドパスフィルタも含む。
【００３８】
スイッチに高調波が発生されても、ダイプレクサのフィルタリング回路により高調波がブロックされる。例えば、周波数ｆのような低帯域周波数を考える。この周波数の信号が低帯域スイッチを通過するときに、２ｆ、３ｆ及び４ｆの高調波信号が発生され得る。ローパスフィルタのカットオフ周波数を適切に構成することにより、信号周波数ｆは、ローパスフィルタの通過帯域内に入るが、信号周波数２ｆ、３ｆ及び４ｆは、通過帯域の外側となり、減衰されることになる。ローパスフィルタは、望ましからぬ高調波周波数をブロックするので、高調波周波数（例えば、２ｆ、３ｆ、４ｆ及びそれ以上）又はその付近で動作する装置１０の受信器５０は、高調波干渉を受けることがなく、周波数ｆで動作する送信器と同時に動作することができる。高帯域トランシーバから高帯域スイッチを通して信号を送信するときに発生する高調波周波数も、同様に、高帯域フィルタの高周波数減衰特性により減衰させることができる（即ち、望ましい高帯域周波数を通過しながら、それら望ましい高帯域周波数の高調波を減衰させるバンドパスフィルタを使用して高帯域フィルタが具現化されるとき）。
【００３９】
この形式のダイプレクサスキームに基づくフィルタリング構成は、ノッチフィルタのような挿入ロスの大きなコンポーネントに基づくフィルタリング構成より低い挿入ロスを示す。必要に応じて、付加的なフィルタリング回路を装置１０に使用することができる。一般的に、経路４５のフィルタリング回路は、ダイプレクサ、デュープレクサ、トリプレクサ、ノッチフィルタ、バンドパスフィルタ、ローパスフィルタ、ハイパスフィルタ、他のフィルタコンポーネント、及びそれらのフィルタ回路の組み合わせを含む。フィルタリングコンポーネントは、例えば、表面音波（ＳＡＷ）又はバルク音波（ＢＡＷ）装置を使用して具現化される。
【００４０】
ワイヤレス通信回路３４に使用される構成が図３に例示されている。図３に示されたように、装置１０は、ハウジング１２にアンテナ４０を備えている。アンテナ４０は、経路４５を使用してトランシーバ回路３８及び４６に結合される。経路４５は、スイッチング回路６４を含む。
【００４１】
アンテナ４０は、１つ以上のアンテナを含む。１つ以上のアンテナ４０は、例えば、セルラー電話通信帯域に使用され、又、１つ以上のアンテナ４０は、１５７５ＭＨｚのＧＰＳ帯域のような衛星ナビゲーションシステム帯域に使用され、又、１つ以上のアンテナ４０は、他の当該通信帯域に使用される（例えば、２．４ＧＨｚ及び５ＧＨｚのＩＥＥＥ８０２．１１帯域、又は他のワイヤレスローカルエリアネットワーク帯域、２．４ＧＨｚのＢｌｕｅｔｏｏｔｈ（登録商標）帯域、等）。図３の例に示す形式の構成では、アンテナ４０Ａのような１つ以上のアンテナは、リモートワイヤレストランシーバ回路３８のようなワイヤレストランシーバ回路（例えば、１つ以上のセルラー電話トランシーバ回路）に関連付けられ、そしてアンテナ４０Ｂのような１つ以上のアンテナは、ワイヤレストランシーバ回路４６（例えば、図１の衛星ナビゲーションシステム受信器４２、図１のローカルワイヤレストランシーバ回路３６、例えば、ＩＥＥＥ８０２．１１ワイヤレスローカルエリアネットワーク回路、Ｂｌｕｅｔｏｏｔｈ（登録商標）回路、等）に関連付けられる。必要に応じて、トランシーバ回路３８には付加的なアンテナが関連付けられ（即ち、アンテナ４０Ａに加えてのアンテナ）、そしてトランシーバ回路４６には付加的なアンテナが関連付けられる（即ち、アンテナ４０Ｂに加えてのアンテナ）。
【００４２】
トランシーバ回路３８は、送信器４８及び受信器５０を含む。例えば、複数のセルラー電話通信帯域の各々に関連した各送信器４８及び各受信器５０がある。例えば、ＬＴＥ帯域１３について考える。Ｅ−ＵＴＲＡ（ＬＴＥ）帯域１３の通信をサポートするために、送信器４８の１つ（例えば、図３の送信器ＴＸ）は、７７７ＭＨｚないし７８７ＭＨｚのアップリンク周波数レンジにおいて高周波信号を送信し、そして受信器５０の１つ（例えば、図３の受信器ＲＸ）は、７４６ＭＨｚないし７５６ＭＨｚのダウンリンク周波数レンジにおいて高周波信号を受信する。送信高周波信号がアンテナ４０に達する前に送信電力を増加するために、経路４５は、電力増幅器５２のような電力増幅器を含む。アンテナ４０から受信される信号の強度を高めるために、経路４５は、低ノイズ増幅器６０のような低ノイズ増幅器（ＬＮＡ）を含む。増幅器５２及び６０のような増幅器は、個別のコンポーネント、トランシーバ集積回路の一部分である回路、等を使用して具現化される。
【００４３】
スイッチング回路６４は、各周波数レンジに各々関連した複数のスイッチを含む。図３の例では、スイッチング回路６４は、第１スイッチ６４ＬＢ及び第２スイッチ６４ＨＢを含む。これらスイッチ６４ＬＢ及び６４ＨＢの状態（即ち、それらスイッチにおいてどの端子が互いに接続されるか）は、コントロール端子６２にコントロール信号を印加するように記憶及び処理回路２８を使用してコントロールされる。スイッチ６４ＬＢは、スイッチ６４ＨＢより低い周波数の高周波信号を取り扱うのに使用される。この形式の構成では、スイッチ６４ＬＢは、低帯域スイッチとも称され、そしてスイッチ６４ＨＢは、高帯域スイッチとも称される。
【００４４】
スイッチ６４ＬＢ及び６４ＨＢは、望ましい全ての送信器４８及び受信器５０をアンテナ４０に結合できるに充分な数の端子（スイッチポート）を有するのが好ましい。典型的な構成では、スイッチ６４ＬＢ及び６４ＨＢは、ＳＰ４Ｔ（単極四投）又はＳＰ５Ｔ（単極五投）スイッチである（一例として）。端子がそれより多い又はそれより少ないスイッチも、必要に応じて、使用することができる。
【００４５】
各スイッチは、ダイプレクサ６８に結合された１つの端子Ｔ’と、トランシーバ回路３８の各部分に各々結合された複数の他の端子Ｔとを有する。典型的な構成では、トランシーバ回路３８の各送信器及び受信器対は、ダイプレクサ５４のようなコンポーネントを使用してスイッチ６４ＬＢ又は６４ＨＢの各端子Ｔに結合される。この形式の構成では、各当該帯域の送信及び受信信号は、各スイッチ端子Ｔに関連付けられる。
【００４６】
各デュープレクサ５４は、トランシーバに結合された第１ポート、受信器に結合された第２ポート、及び１つの端子Ｔに結合された第３ポートを有する３ポート装置である。デュープレクサ５４は、第１ポートと第２ポートとの間に高い分離を与えるフィルタ回路から形成される。例えば、デュープレクサ５４は、ＬＴＥ帯域５に関連した高周波送信を受け容れるように構成される。このシナリオでは、デュープレクサ５４の第１ポートは、ＬＴＥ帯域５の送信周波数（例えば、８２４ＭＨｚから８４９ＭＨｚ）の高周波信号を送信するトランシーバに結合され、そしてデュープレクサ５４の第２ポートは、ＬＴＥ帯域５の受信周波数（例えば、８６９ＭＨｚから８９４ＭＨｚ）の高周波信号を受信するトランシーバに結合される。トランシーバにより送信される高周波信号は、受信器によって受信される高周波信号よりかなり大きい（例えば、数十ｄＢｍ大きい）。デュープレクサ５４は、トランシーバにより送信された比較的大きな信号が受信器で受信されるのを防止し、それにより、トランシーバと受信器との間に高い分離を与える上で役立つ。換言すれば、デュープレクサ５４は、デュープレクサ５４の第１及び第２ポートに対して高い帯域外減衰を与える。
【００４７】
図３の例では、低帯域スイッチ６４ＬＢは、各経路６６と、デュープレクサ５４のような関連フィルタ回路とにより、各送信器４８及び受信器５０に各々結合された複数の端子Ｔを有する。例えば、送信器ＴＸは、デュープレクサ５４のフィルタ５６に接続され、そして受信器ＲＸは、デュープレクサ５４のフィルタ５８に接続される。フィルタ５６は、帯域１３のアップリンクレンジの信号を通過させる帯域通過フィルタであり、又、フィルタ５８は、帯域１３のダウンリンクレンズの信号を通過させる帯域通過フィルタである。
【００４８】
デュープレクサ５４は、経路６６の１つにより低帯域スイッチ６４ＬＢの端子Ｔの所与の１つに結合される。帯域１３のアップリンク周波数レンジにおける送信器ＴＸからの送信信号は、電力増幅器５２及びデュープレクサ５４のフィルタ５６により所与の端子Ｔへルーティングされる。帯域１３のダウンリンク周波数レンジにおける受信信号は、所与の端子Ｔからフィルタ５８及び低ノイズ増幅器６０により受信器ＲＸへルーティングされる。他の帯域（例えば、他のＬＴＥ帯域、ＧＳＭ帯域、等）は、それら自身の各送信器４８、電力増幅器５２、受信器５０、低ノイズ増幅器６０及びデュープレクサ５４を使用して取り扱われる。
【００４９】
トランシーバ回路３８により取り扱われる第１組の周波数帯域（例えば、低周波数帯域）のためのトランシーバ回路は、低帯域スイッチ６４ＬＢの端子Ｔに結合される。トランシーバ回路３８により取り扱われる第２組の周波数帯域（例えば、高周波数帯域）のためのトランシーバ回路は、高帯域スイッチ６４ＨＢの端子Ｔに結合される。１つの適当な構成では、約９６０ＭＨｚより低い周波数は、低帯域スイッチ６４ＬＢにより取り扱われ、そして約１７１０ＭＨｚより高い周波数は、高帯域スイッチ６４ＨＢにより取り扱われる。必要に応じて、他の構成がワイヤレス回路３４に使用される。これらの周波数指定は、単なる例示に過ぎない。
【００５０】
ダイプレクサ６８は、フィルタＦＬＢ及びＦＨＢと、ポート（端子）ＰＬ、ＰＨ及びＰＡとを有する。スイッチ６４ＬＢの端子Ｔ’は、ポートＰＬに結合される。スイッチ６４ＨＢの端子Ｔ’は、ポートＰＨに結合される。ダイプレクサ６８のポートＰＡは、アンテナ４０Ａに結合される。フィルタＦＬＢは、ローパスフィルタである。フィルタＦＨＢは、ハイパスフィルタ又はバンドパスフィルタである。ダイプレクサ６８は、フィルタＦＬＢ及びＦＨＢを使用して、スイッチング回路６４とアンテナ４０Ａとの間で高周波信号を周波数に基づいてルーティングしながら、望ましからぬ高調波信号をブロックする。
【００５１】
図４は、フィルタＦＬＢに関連した高周波信号伝送特性を例示するグラフである。図４に示すように、フィルタＦＬＢは、周波数ｆがｆ１より低い信号を通過させるローパスフィルタである。ｆ１の値は、例えば、９６０ＭＨｚであるか、又はスイッチ６４ＬＢを経て送信及び受信される通信帯域の周波数ｆLB1・・・ｆLBNより高い他の周波数である。ローパスフィルタＦＬＢを使用すると、ダイプレクサ６８は、ポートＰＬとＰＡとの間に約０．３ｄＢの挿入ロスを示す（即ち、フィルタＦＬＢの最大伝達値Ｔ２は、１００％伝達レベルＴ１より約０．３ｄＢ低いものであり、これは、１００％伝達曲線７０とフィルタＦＬＢの伝達曲線７２との間のギャップで示される）。
【００５２】
図５は、フィルタＦＨＢに関連した高周波信号伝送特性を例示するグラフである。図５に示すように、フィルタＦＨＢは、周波数ｆが周波数ｆ２より高い信号を通過させるハイパスフィルタ（例えば、曲線７６及び曲線部分８０−２を参照）又はバンドパスフィルタ（例えば、曲線７６及び曲線部分８０−１を参照）である。ｆ２の値は、例えば、１７１０ＭＨｚであるか、又はスイッチ６４ＨＢを経て送信及び受信される通信帯域の周波数ｆLH1・・・ｆLHNより低い他の周波数である。ハイパスフィルタ（又はバンドパスフィルタ）ＦＬＢを使用すると、ダイプレクサ６８は、ポートＰＨとＰＡとの間に約０．３ｄＢの挿入ロスを示す。図５に示すように、例えば、フィルタＦＨＢの最大伝達値Ｔ２は、１００％伝達レベルＴ１より約０．３ｄＢ低いものであり、これは、１００％伝達曲線７０とフィルタＦＨＢ（ダイプレクサ６８）の伝達曲線７６との間のギャップで示される。ダイプレクサ６８に関連した挿入ロスは、図４及び５に例示した０．３ｄＢの挿入ロスより若干高いか又は低い。それでも、ダイプレクサ６８のようなダイプレクサの使用に関連した挿入ロスは、一般的に、ノッチフィルタのような他の形式のフィルタリング回路をスイッチング回路６４とアンテナ４０Ａとの間に介在させた場合に生じる挿入ロスより著しく低いものとなる。
【００５３】
スイッチング回路６４は、砒化ガリウム電界効果トランジスタ（ＦＥＴ）、マイクロ電気機械的システム（ＭＥＭ）スイッチ、金属酸化物半導体電界効果トランジスタ（ＭＯＳＦＥＴ）、ｐ−ｉ−ｎダイオード、高電子移動度トランジスタ（ＨＥＭＴ）、仮像型ＨＥＭＴ（ＰＨＥＭＴ）、シリコンオンインスレータ（ＳＯＩ）基板に形成されたトランジスタ、等を含むスイッチ６４Ａ及び６４Ｂを使用して具現化される。高周波信号が送信器４８からアンテナ４０Ａへ送信されるとき、送信信号は、スイッチング回路６４を通過する。スイッチング回路６４の振舞いが非直線的であることにより、端子Ｔ’（即ち、スイッチの出力）に高調波が発生し得る。ダイプレクサ６８のフィルタは、これら高調波を著しく減衰し、従って、高調波は、アンテナ４０Ａを通して送信されず、それ故、アンテナ４０Ｂにより受信されない。アンテナ４０Ｂは、著しい大きさの高調波を受信しないので、トランシーバ４６に関連した受信器（即ち、ワイヤレスローカルエリアネットワーク受信回路、衛星ナビゲーション受信回路、等）は、トランシーバ回路３８の動作から妨げられずに適切に動作する。
【００５４】
例えば、低帯域スイッチ６４ＬＢ及びローパスフィルタＦＬＢを通過する通信帯域（即ち、図４の周波数ｆLB1・・・ｆLBNの帯域７４）が、帯域５、８、１７、１３及び２０の幾つか又は全部のようなＬＴＥ帯域（及び必要に応じて、他のＬＴＥ帯域及び／又は他のセルラー電話帯域）に関連付けられる一方、高帯域スイッチ６４ＨＢ及びハイパスフィルタ（又はバンドパスフィルタ）ＦＨＢを通過する通信帯域（即ち、図５の周波数ｆHB1・・・ｆHBNの帯域７８）が、帯域４、２、７、１、３及び４０の幾つか又は全部のようなＬＴＥ帯域（及び必要に応じて、他のＬＴＥ帯域及び／又は他のセルラー電話帯域）に関連付けられる状態について考える。この形式の構成では、幾つかの送信ＬＴＥ帯域の高調波が、２．４ＧＨｚ及び５ＧＨｚのＩＥＥＥ８０２．１１（ＷｉＦｉ(登録商標)）帯域及び／又は１５７５ＭＨｚのＧＰＳ帯域のような衛星ナビゲーションシステム帯域内に入る。例えば、帯域１３に関連したアップリンク（送信）帯域は、７７７ＭＨｚから７８７ＭＨｚまで延びる。帯域１３のトラフィックがトランシーバ回路３８（例えば、図３の送信器ＴＸ）により送信されるとき、スイッチ６４ＬＢは、１５５４ＭＨｚから１５７４ＭＨｚの周波数レンジにおける第２高調波のような高調波を発生する。ダイプレクサ６８により減衰されなければ、これらの第２高調波（特に、１５７４ＭＨｚ付近の高調波信号）は、１５７５ＭＨｚを中心とするＧＰＳ帯域（即ち、アンテナ４０Ａに結合されたＧＰＳ受信器）を妨げる。しかしながら、ダイプレクサ６８を使用することにより、１５５４ＭＨｚから１５７４ＭＨｚの周波数レンジにおける第２高調波が著しく減衰される（例えば、１５ｄＢ以上、３０ｄＢ以上、等）。図４に示すように、例えば、ローパスフィルタＦＬＢは、ｆ１より高い（例えば、９６０ＭＨｚ又は他の適当なカットオフ周波数より高い）周波数の信号を著しく減衰する。
【００５５】
ＬＴＥ帯域１、３、４及び２の第３高調波は、５ＧＨｚのＩＥＥＥ８０２．１１ワイヤレスローカルエリアネットワーク帯域との考えられる干渉源を表わす。これらＬＴＥ帯域の信号がスイッチ６４ＨＢを通して送信されるとき、５ＧＨｚ付近の第３高調波が発生される。曲線７６、特に、図５の曲線区分８０−１で示されたように、フィルタＦＨＢがバンドパスフィルタとして具現化されるとき（即ち、フィルタＦＨＢが約１７１０ＭＨｚから２．２５ＧＨｚの周波数レンジｆ２からｆ３の信号を通過させるとき）、２．２５ＧＨｚより高い信号（即ち、５ＧＨｚ付近の高調波）は、フィルタＦＨＢにより減衰される。フィルタＦＬＢにより減衰された帯域１３の第２高調波と同様に、これらの高調波も、アンテナ４０Ｂには到達しない。ダイプレクサ６８は、送信信号高調波がアンテナ４０Ｂを通して送信されるのを防止するので、アンテナ４０Ａ及び４０Ｂが同じ装置内（例えば、各々端４４及び４２に）に配置され且つ潜在的に互いに接近していても（例えば、分離度が１５ｃｍ以下、等）、それらの高調波がアンテナ４０Ａにより受信されることはない。
【００５６】
必要があれば、高帯域フィルタＦＨＢの低いカットオフ周波数ｆ２及び高いカットオフ周波数ｆ３は、異なる送信帯域を受け容れるように、より低くするか又はより高くしてもよい。５ＧＨｚにおいて装置１０に受信器が使用されない場合には、フィルタＦＨＢは、ハイパスフィルタ（即ち、図５の周波数ｆ２のような低い周波数カットオフをもつが、周波数ｆ３のような鮮明な高い周波数カットオフはもたず、曲線７６がｆ３より上では区分８０−２をたどるフィルタ）を使用して具現化される。低帯域フィルタＦＬＢは、異なるカットオフ周波数を使用して具現化される。図１の周波数ｆ１に９６０ＭＨｚのカットオフ周波数を使用することは、一例として提示される。
【００５７】
２つの異なる周波数帯域において高周波送信を同時に受信することが望まれる。例えば、装置１０は、長期進化（ＬＴＥ）プロトコルを使用してセルラーベースステーションと通信する。この形式の通信環境では、セルラーベースステーションは、装置１０が２つの異なるＬＴＥ通信帯域を使用してデータを受信することを予想する（キャリアアグリゲーションとも称される）。一例として、ベースステーションは、装置１０がＬＴＥ帯域４及びＬＴＥ帯域１７のデータを同時に受信することを要求する。ＬＴＥ帯域４のデータを受信するために、装置１０は、２１１０ＭＨｚから２１５５ＭＨｚの周波数を受け容れるように構成される。ＬＴＥ帯域１７のデータを受信するために、装置１０は、７３４ＭＨｚから７４６ＭＨｚの周波数を受け容れるように構成される。
【００５８】
２つの異なる通信帯域を使用してデータを受信することにより、装置１０には、増加した帯域巾が与えられる。例えば、ＬＴＥ帯域４及びＬＴＥ帯域１７のデータストリームを同時に受信する装置１０には、ＬＴＥ帯域４及びＬＴＥ帯域１７の各帯域巾の合成（例えば、ＬＴＥ帯域巾４からの４５ＭＨｚをＬＴＥ帯域１７からの１２ＭＨｚに追加）に等しい通信帯域巾が与えられる。このように、装置１０には、改良されたデータ送信レートが与えられる。
【００５９】
図６に示す実施形態において、装置１０には、異なる周波数帯域の高周波送信を同時に受信するように構成されたワイヤレス通信回路３４が設けられている。図６の実施形態は、全ての通信帯域を受け容れるために単一の送信器及び２つの受信器がスイッチング回路（例えば、スイッチング回路１０２、１０４及び１０６）でマルチプレクスされる図３のワイヤレス通信回路３４に対応する。
【００６０】
図６に示すように、ワイヤレス通信回路３４は、（例えば、セルラーベースステーションから）ワイヤレス送信を受信するアンテナ４０Ｃのようなアンテナを備えている。受信したワイヤレス送信は、ダイプレクサポートＰＡを経てダイプレクサ６８に与えられる。ダイプレクサ６８は、周波数に従って信号をルーティングする回路を含む。例えば、ダイプレクサ６８は、フィルタＦＬＢ（例えば、ローパスフィルタ）及びＦＨＢ（例えば、ハイパスフィルタ）を有し、これらは、受信したワイヤレス送信を各々低い周波数及び高い周波数に分割しつつ、信号ロスを最小にする（例えば、挿入ロスを最小にする）。低い周波数の受信信号は、ダイプレクサポートＰＬからスイッチ６４ＬＢの端子Ｔ’へルーティングされる。高い周波数の受信信号は、ダイプレクサポートＰＨからスイッチ６４ＨＢの端子Ｔ’へルーティングされる。信号の送信中に、ポートＰＬの低帯域信号及びポートＰＨの高帯域信号は、ダイプレクサ６８により合成され、それにより生じる合成信号がポートＰＡに出力される。
【００６１】
スイッチ６４ＬＢ及び６４ＨＢは、各々、１つ以上に端子Ｔを有する。スイッチ６４ＬＢ及び６４ＨＢは、電気的にコントロール可能なスイッチ（例えば、トランジスタベースのスイッチ）で、コントロール端子６２を経て端子Ｔの選択された１つを端子Ｔ’へ結合するように各々構成される。スイッチ６４ＬＢ及び６４ＨＢの各端子Ｔは、デュープレクサ５４の各１つに結合される。デュープレクサ５４は、各高及び低帯域フィルタを各々有する。例えば、各デュープレクサは、フィルタ５６のような第１フィルタ、及びフィルタ５８のような第２フィルタを有する。フィルタ５６及びフィルタ５８は、高周波信号を、送信周波数帯域及び受信周波数帯域に対応する個別の周波数帯域へ分離する。フィルタ５６は、送信（アップリンク）周波数に対応する周波数を分離して、その分離された周波数をスイッチング回路１０２に与える。スイッチング回路１０２は、送信器ＴＸを望ましいデュープレクサ５４に結合するようにコントロール端子６２を経て構成することができる。フィルタ５８は、受信（ダウンリンク）周波数に対応する周波数を分離する。フィルタ５６及び５８の周波数応答を構成することにより、各デュープレクサ５４（及び関連端子Ｔ）は、特定の通信帯域に関連した信号を取り扱うように構成される。例えば、第１端子Ｔは、ＬＴＥ帯域４に関連され、そして第２端子Ｔは、ＬＴＥ帯域１７に関連される。
【００６２】
異なる周波数帯域の高周波送信を同時に受信するために、スイッチ６４ＬＢに結合されるフィルタ５８は、スイッチング回路１０４に結合され、そしてスイッチ６４ＨＢに結合されるフィルタ５８は、スイッチング回路１０６に結合される。スイッチング回路１０４及び１０６は、コントロール端子６２を経て構成できる電気的にコントロール可能なスイッチ（例えば、トランジスタベースのスイッチ）を使用して具現化される。スイッチ１０４は、受信器ＲＸ１に結合され、そしてスイッチ１０６は、受信器ＲＸ２に結合される。受信器ＲＸ１は、比較的低い周波数に対応する高周波信号を受信する。受信器ＲＸ２は、比較的高い周波数に対応する高周波信号を受信する。
【００６３】
一例として、ＬＴＥ規格を使用してベースステーションと通信する装置１０は、帯域４（例えば、比較的高い周波数に対応する周波数帯域）及び帯域１７（例えば、比較的低い周波数に対応する周波数帯域）の高周波送信を同時に受信する。このシナリオでは、アンテナ４０Ｃを経て装置１０によって受信される高周波送信は、ダイプレクサ６８により、帯域４に対応する信号及び帯域１７に対応する信号へと区分化される。
【００６４】
帯域４に対応する信号は、スイッチ６４ＨＢにより受信されて、第１のデュープレクサ５４へ転送され、このデュープレクサは、帯域４に関連した周波数を受け容れるように構成される。第１のデュープレクサ５４は、帯域４に関連した周波数を、送信帯域及び受信帯域（例えば、１７１０ＭＨｚないし１７５５ＭＨｚに対応する送信帯域、及び２１１０ＭＨｚないし２１５５ＭＨｚに対応する受信帯域）へ区分化し、そして受信帯域に関連した信号をマルチプレクサ１０６及び受信器ＲＸ２に与える。受信器ＲＸ２は、受信帯域に関連した信号を処理する（例えば、受信器ＲＸ２は、信号を復調し、その信号を基本帯域プロセッサに与える）。
【００６５】
帯域１７に対応する信号は、スイッチ６４ＬＢにより受信されて、帯域１７に関連した第２のデュープレクサ５４へ転送される。第２のデュープレクサ５４は、帯域１７に関連した周波数を、送信帯域及び受信帯域（例えば、７０４ＭＨｚないし７１６ＭＨｚに対応する送信帯域、及び７３４ＭＨｚないし７４６ＭＨｚに対応する受信帯域）へ区画化し、そして受信帯域に関連した信号を処理のためにマルチプレクサ１０４及び受信器ＲＸ１に与える。
【００６６】
受信器ＲＸ１及びＲＸ２が異なる通信帯域の高周波信号を同時に受信できるようにするために、各受信器は、各局部発振器に結合される。受信器ＲＸ１は、局部発振器ＬＯ１に結合され、そして受信器ＲＸ２は、局部発振器ＬＯ２に結合される。局部発振器ＬＯ１及びＬＯ２は、高周波信号を処理するために受信器ＲＸ１及びＲＸ２が使用する適当な周波数をもつ信号（例えば、適当な周波数をもつ正弦波信号又は他の望ましい信号）を発生する。例えば、受信器ＲＸ１は、ＬＴＥ帯域１７に対応する高周波信号を受信する。このシナリオでは、局部発振器ＬＯ１は、ＬＴＥ帯域１７に関連した高周波信号を復調するために適当な周波数をもつ信号を発生するように調整される。
【００６７】
２つの個別の局部発振器ＬＯ１及びＬＯ２を使用して受信器ＲＸ１及びＲＸ２に各信号を与えることは、例示に過ぎない。要望があれば、局部発信回路１５６は、受信器ＲＸ１及びＲＸ２に、周波数の異なる２つの信号を与えることができる。例えば、局部発信回路１５６は、第１周波数の第１信号を発生するように構成された単一の局部発振器を含み、第１信号は、受信器ＲＸ１へ送られる。又、局部発信回路１５６は、第１信号を使用して第２周波数の第２信号を発生するように構成された周波数分割回路も含み、第２信号は、受信器ＲＸ２へ送られる。
【００６８】
このように、装置１０により受信される高周波送信は、同時に処理される。２つの異なる周波数帯域を同時に処理することにより、装置１０には、増加された通信帯域巾が与えられ、それにより、データレートを高めることができる。
【００６９】
図６の回路を使用して、ＬＴＥ帯域４及び１７に関連した信号を取り扱うことは、例示に過ぎない。希望の周波数帯域を受け容れるようにワイヤレス通信回路３４を構成することにより２つの異なる通信帯域を同時に受信することができる。例えば、ＬＴＥ帯域２は、ＬＴＥ帯域１７、ＬＴＥ帯域５、ＭｅｄｉａＦＬＯ帯域、又は他の望ましい周波数帯域と同時に受信される。別の例として、ＬＴＥ帯域４は、ＬＴＥ帯域５又はＭｅｄｉａＦＬＯと同時に受信され、ＬＴＥ帯域１は、ＬＴＥ帯域８又はＬＴＥ帯域２０と同時に受信され、ＬＴＥ帯域３は、ＬＴＥ帯域８又は帯域２０と同時に受信され、等々である。要望があれば、このように、３つ以上の周波数帯域を同時に取り扱うことができる。例えば、受信した高周波信号を、各受信器で処理される望ましい数の周波数帯域へ分割するように、複数のダイプレクサを段々に配置することができる。
【００７０】
受信器ＲＸ１及びＲＸ２は、トランシーバ回路の一部分として又は個別の回路として形成される。例えば、受信器ＲＸ１及び／又は受信器ＲＸ２は、送信器ＴＸと組み合わせてトランシーバを形成することもできるし、又は個別の受信器及び送信器回路として別々に具現化することもできる。要望があれば、第１の任意のトランシーバ１５４は、受信器ＲＸ１及び送信器ＴＸの組み合わせから形成され、そして第２の任意のトランシーバ１５４は、受信器ＲＸ２及び付加的な送信器ＴＸの組み合わせから形成される。
【００７１】
受信器ＲＸ１及びＲＸ２並びに送信器ＴＸは、基本帯域プロセッサ回路１５２へ結合される。受信器ＲＸ１及びＲＸ２は、スイッチ１０４及び１０６から受け取られた高周波信号を処理し、そしてその処理した高周波信号を基本帯域プロセッサ回路１５２へ送る。例えば、受信器ＲＸ１は、ＬＴＥ帯域１７に対応する高周波信号を受信し、そしてその高周波信号を復調して基本帯域信号を形成する。このシナリオでは、基本帯域信号は、基本帯域プロセッサ回路１５２により処理される。
【００７２】
図７は、図６の回路を使用して取り扱われる高周波信号の帯域を例示するグラフである。図７の例では、周波数帯域ＬＢTXは、ＬＴＥ帯域１７の７０４−７１６ＭＨｚのような低い送信周波数帯域に対応し、そしてＬＢRXは、ＬＴＥ帯域１７の７３４−７４６ＭＨｚのような低い受信周波数帯域に対応する（例えば、ＬＢTXは、ＬＴＥ帯域１７の送信帯域に対応し、そしてＬＢRXは、ＬＴＥ帯域１７の受信帯域に対応する）。周波数帯域ＨＢTXは、ＬＴＥ帯域４の１７１０−１７５５ＭＨｚのような高い送信周波数帯域に対応し、そして周波数帯域ＨＢRXは、ＬＴＥ帯域４の２１１０−２１５５ＭＨｚのような高い受信周波数帯域に対応する（例えば、ＨＢTXは、ＬＴＥ帯域４の送信帯域に対応し、そしてＨＢRXは、ＬＴＥ帯域４の受信帯域に対応する）。
【００７３】
ダイプレクサ６８は、高周波送信を、Ｆ１より低い周波数の第１信号区画及びＦ１より高い周波数の第２信号区画へ区画化するように構成される（例えば、フィルタＦＬＢは、第１の信号区画をスイッチ６４ＬＢに与えるように構成され、そしてフィルタＨＬＢは、第２の信号区画をスイッチ６４ＨＢに与えるように構成される）。スイッチ６４ＬＢは、周波数帯域ＬＢTX及びＬＢRXに関連した第１のデュープレクサ５４をフィルタＦＬＢに結合するように構成される。スイッチ６４ＨＢは、周波数帯域ＨＢTX及びＨＢRXに関連した第２のデュープレクサ５４をフィルタＨＬＢに結合するように構成される。
【００７４】
第１のデュープレクサ５４は、低い送信帯域ＬＢTXを低い受信帯域ＬＢRXから分離するように構成される（例えば、Ｆ２より低い周波数を、Ｆ２より高い周波数から分離するフィルタを使用して）。第２のデュープレクサ５４は、高い送信帯域ＨＢTXを高い受信帯域ＨＢRXから分離するように構成される（例えば、Ｆ３より低い周波数を、Ｆ３より高い周波数から分離するフィルタを使用して）。低い受信帯域ＬＢRXは、第１の受信器ＲＸ１へ送られ、そして高い受信帯域ＨＢRXは、第２の受信器ＲＸ２へ送られる。このように、２つの異なる周波数帯域がワイヤレス通信回路３４により同時に受信されて処理される。
【００７５】
キャリアアグリゲーションモードで通信するために（例えば、異なる通信帯域において同時高周波送信を使用してセルラーベースステーションとワイヤレス装置との間で通信するために）、図８の例示的フローチャートのステップが遂行される。
【００７６】
ステップ２０２において、セルラーベースステーション及びワイヤレス電子装置１０は、キャリアアグリゲーションの準備をする。例えば、ベースステーションは、複数のデータストリームを送信する準備をし、そしてワイヤレス電子装置に、異なる送信帯域において複数のデータストリームを同時に受信する準備をするように命令する（例えば、ベースステーションは、ワイヤレス電子装置にキャリアアグリゲーションモードで動作するよう命令する）。単一ソースデータストリームを複数の部分に分割することにより、複数のデータストリームが発生される。複数のデータストリームの同時受信を準備する命令を受信するのに応答して、ワイヤレス電子装置は、適当な引き回し接続を行うようにスイッチを構成する（例えば、各通信帯域を各受信器へ引き回すようにスイッチを構成する）。
【００７７】
ステップ２０４において、ベースステーションは、異なる通信帯域における複数のデータストリームをワイヤレス電子装置１０へ同時に送信する。例えば、ベースステーションは、ＬＴＥ帯域１７における第１のデータストリーム、及びＬＴＥ帯域４における第２のデータストリームを送信する。
【００７８】
ステップ２０６において、電子装置１０は、ダイプレクサ６８及びデュープレクサ５４のようなマルチプレクス回路を使用して、ベースステーションから受信した高周波信号を周波数に基づいて分割する。例えば、電子装置１０は、ダイプレクサ６８を使用して、ベースステーションからアンテナ４０Ｃによって受信した高周波信号を、比較的低い周波数及び比較的高い周波数へ分割する。比較的低い周波数は、第１のスイッチ６４ＬＢへ送られ、これは、比較的低い周波数を第１のデュープレクサ５４へルーティングするように構成されている（例えば、ステップ２０２の間に構成されている）。比較的高い周波数は、第２のスイッチ６４ＨＢへ送られ、そして第２のデュープレクサ５４へルーティングされる。第１のデュープレクサ５４は、第１のデータストリームを比較的低い周波数から分離し、そして第１のデータストリームを受信器ＲＸ１へ送る。第２のデュープレクサ５４は、第２のデータストリームを比較的高い周波数から分離し、そして第２のデータストリームを受信器ＲＸ２へ送る。
【００７９】
ステップ２０８において、電子装置１０は、複数の受信器を使用して複数のデータストリームを同時に受信する。例えば、受信器ＲＸ１は、第１のデータストリームを復調し、そしてその復調した第１のデータストリームをベースステーションへ送る。受信器ＲＸ２は、第２のデータストリームを復調し、そしてその復調した第２のデータストリームをベースステーションへ送る。
【００８０】
ステップ２１０において、ベースステーションは、復調された第１及び第２のデータストリームを同時に受信し、そしてその復調された第１及び第２のデータストリームを合成して、単一のソースデータストリームを再構成する。
【００８１】
一例として、ベースステーションは、ＬＴＥ帯域４における第１のデータストリームの送信及びＬＴＥ帯域１７における第２のデータストリームの送信を準備する。このシナリオにおいて、ベースステーションは、ＬＴＥ帯域４における第１データストリーム及びＬＴＥ帯域１７における第２データストリームの同時受信を準備するようにワイヤレス電子装置１０に命令する。ベースステーションからの命令に応答して、ワイヤレス電子装置１０は、ダイプレクサ６８から受信した低帯域信号をＬＴＥ帯域１７に関連した第１のデュープレクサ５４へルーティングするようにスイッチ６４ＬＢを構成する。装置１０は、ダイプレクサ６８から受信した高帯域信号を、ＬＴＥ帯域４に関連した第２のデュープレクサ５４へルーティングするようにスイッチ６４ＨＢを構成する。第１のデュープレクサ５４は、ＬＴＥ帯域１７の信号を、スイッチ１０４を経て受信器ＲＸ１へ送る。第２のデュープレクサ５４は、ＬＴＥ帯域４の信号を、スイッチ１０６を経て受信器ＲＸ２へ送る。受信器ＲＸ１及びＲＸ２は、ＬＴＥ帯域１７及びＬＴＥ帯域４のデータストリームを、処理のために基本帯域プロセッサ回路へ同時に与える。
【００８２】
一実施形態によれば、電子装置で高周波送信を受信するための方法において、電子装置のアンテナで、少なくとも第１及び第２の各通信帯域における少なくとも第１及び第２のデータストリームを受信し；ダイプレクサで、第１のデータストリームを第１の受信器へルーティングし、且つ第２のデータストリームを第２の受信器へルーティングし；第１の受信器を使用して第１のデータストリームを、そして第２の受信器を使用して第２のデータストリームを同時に受信し；電子装置の基本帯域プロセッサ回路で、第１の受信器により受信した第１のデータストリームを、第２の受信器により受信した第２のデータストリームと合成する；ことを含む方法が提供される。
【００８３】
一実施形態によれば、電子装置で高周波送信を受信するための方法において、電子装置のアンテナで、少なくとも第１及び第２の各通信帯域における少なくとも第１及び第２のデータストリームを受信し；ダイプレクサで、第１のデータストリームを第１の受信器へルーティングし、且つ第２のデータストリームを第２の受信器へルーティングし；第１の受信器を使用して第１のデータストリームを、そして第２の受信器を使用して第２のデータストリームを同時に受信し；電子装置の基本帯域プロセッサ回路で、第１の受信器により受信した第１のデータストリームを、第２の受信器により受信した第２のデータストリームと合成する；ことを含む方法が提供される。
【００８４】
別の実施形態によれば、ダイプレクサは、ローパスフィルタを含み、第１のデータストリームを第１の受信器へルーティングすることは、第１のデータストリームを第１の受信器へルーティングし、そして第２のデータストリームが第１の受信器に到達するのをそのローパスフィルタでブロックすることを含む。
【００８５】
別の実施形態によれば、ダイプレクサは、ハイパスフィルタを含み、第２のデータストリームを第２の受信器へルーティングすることは、第２のデータストリームを第２の受信器へルーティングし、そして第１のデータストリームが第２の受信器に到達するのをそのハイパスフィルタでブロックすることを含む。
【００８６】
別の実施形態によれば、電子装置で高周波送信を受信することは、第１の受信器とダイプレクサとの間に挿入されたスイッチング回路で第１のデータストリームを受信し、そしてそのスイッチング回路で、第１のデータストリームを、第１の通信帯域に関連したデュープレクサへルーティングすることを更に含む。
【００８７】
別の実施形態によれば、電子装置で高周波送信を受信することは、デュープレクサで、デュープレクサと第１の受信器との間に挿入された付加的なスイッチング回路へ第１のデータストリームをルーティングすることを更に含む。
【００８８】
別の実施形態によれば、電子装置で高周波送信を受信することは、第１のデータストリームを第１の受信器へルーティングするように付加的なスイッチング回路を構成することを更に含む。
【００８９】
別の実施形態によれば、電子装置で高周波送信を受信することは、第１のデータストリームを第１の受信器で復調し、及び第２のデータストリームを第２の受信器で復調することを更に含む。
【００９０】
一実施形態によれば、第１の通信帯域で動作するように構成された第１の高周波受信器と；第２の通信帯域で動作するように構成された第２の高周波受信器と；少なくとも第１の通信帯域において第１のデータストリームを及び第２の通信帯域において第２のデータストリームを受信するように構成されたアンテナと；第１の高周波受信器に結合された第１ポート、第２の高周波受信器に結合された第２ポート、及びアンテナに結合された第３ポートを有するダイプレクサと；第１の高周波受信器から第１のデータストリームを及び第２の高周波受信器から第２のデータストリームを同時に受信するように構成された基本帯域回路と；を備えたワイヤレス通信回路が提供される。
【００９１】
別の実施形態によれば、第１の高周波受信器は、ＬＴＥ帯域１７で動作するように構成された長期進化（ＬＴＥ）セルラー電話受信器を含み、そして前記第２の高周波受信器は、ＬＴＥ帯域４で動作するように構成されたＬＴＥセルラー電話受信器を含む。
【００９２】
別の実施形態によれば、ダイプレクサは、ローパスフィルタ及びハイパスフィルタを含む。
【００９３】
別の実施形態によれば、ローパスフィルタは、第２のデータストリームに関連した周波数を通過させずに、第１のデータストリームに関連した周波数を通過させるように構成される。
【００９４】
別の実施形態によれば、ハイパスフィルタは、第１のデータストリームに関連した周波数を通過させずに、第２のデータストリームに関連した周波数を通過させるように構成される。
【００９５】
別の実施形態によれば、第１のデータストリームに関連した周波数を通過させずに、第２のデータストリームに関連した周波数を通過させるように構成されたハイパスフィルタをもつワイヤレス回路は、更に、ダイプレクサと第１の高周波受信器との間に挿入されて、第１のデータストリームを第１の高周波受信器へルーティングするよう構成された第１のデュープレクサと；ダイプレクサと第２の高周波受信器との間に挿入されて、第２のデータストリームを第２の高周波受信器へルーティングするよう構成された第２のデュープレクサと；を含む。
【００９６】
別の実施形態によれば、第１及び第２のデュープレクサをもつワイヤレス回路は、更に、第１の受信器及び第２の受信器に結合された発振回路であって、第１のデータストリームに関連した第１周波数の第１信号を第１の受信器に与えるように構成されると共に、第２のデータストリームに関連した第２周波数の第２信号を第２の受信器に与えるように構成された発振回路を含む。
【００９７】
一実施形態によれば、ワイヤレス通信回路を動作する方法において、第１の通信帯域における第１のデータストリーム及び第２の通信帯域における第２のデータストリームの同時受信を準備するようワイヤレス通信回路に指令する命令をベースステーションから受信し；ベースステーションからの命令の受信に応答して第１の信号経路及び第２の信号経路を形成するようにワイヤレス回路のスイッチング回路を構成し；第１及び第２のデータストリームをワイヤレス回路のアンテナで受信し；ワイヤレス回路のダイプレクサで、第１の信号経路を通して第１のデータストリームをルーティングすると共に、第２の信号経路を通して第２のデータストリームをルーティングし；及び第１の信号経路に結合された第１の受信器で第１のデータストリームを及び第２の信号経路に結合された第２の受信器で第２のデータストリームを同時に受信する；ことを含む方法が提供される。
【００９８】
別の実施形態によれば、ベースステーションから命令を受信することは、キャリアアグリゲーションモードで動作する命令をベースステーションから受信することを含む。
【００９９】
別の実施形態によれば、ダイプレクサはローパスフィルタを含み、そして第１信号経路を経て第１のデータストリームをルーティングすることは、そのローパスフィルタで第１データストリームを第２データストリームから分離することを含む。
【０１００】
別の実施形態によれば、ダイプレクサは、更に、ハイパスフィルタを含み、そして第２信号経路を経て第２のデータストリームをルーティングすることは、そのハイパスフィルタで第２データストリームを第１データストリームから分離することを含む。
【０１０１】
別の実施形態によれば、前記方法は、更に、第１の通信帯域に関連した第１周波数における第１の局部発振信号を、第１の発振回路で第１の高周波受信器へ供給し、及び第２の通信帯域に関連した第２周波数における第２の局部発振信号を、第２の発振回路で第２の高周波受信器へ供給することを含む。
【０１０２】
別の実施形態によれば、前記方法は、更に、基本帯域回路で、第１及び第２の高周波受信器から第１及び第２のデータストリームを受信し、そしてその第１及び第２のデータストリームを合成して、単一データストリームを形成することを含む。
【０１０３】
以上の説明は、本発明の原理を単に例示するものに過ぎず、当業者であれば、本発明の範囲及び精神から逸脱せずに種々の変更がなされ得ることが明らかであろう。以上の実施形態は、個々に具現化されてもよいし、任意の組み合わせで具現化されてもよい。
【符号の説明】
【０１０４】
１０：装置
２８：記憶及び処理回路
３０：入力−出力回路
３２：入力−出力装置
３４：ワイヤレス通信回路
３６：ローカルワイヤレストランシーバ回路
３８：リモートワイヤレストランシーバ回路
４０：アンテナ構造体
４２：ＧＰＳ受信回路
４２、４４：領域
４５：経路
４８：送信器
５０：受信器
５２、６０：増幅器
５４：デュープレクサ
５６：フィルタ
６４：スイッチング回路
６４ＬＢ：第１スイッチ
６４ＨＢ：第２スイッチ
６８：ダイプレクサ
９０：高周波トランシーバ回路
【図１】
0005785328.tif 000002
【図２】
0005785328.tif 000003
【図３】
0005785328.tif 000004
【図４】
0005785328.tif 000005
【図５】
0005785328.tif 000006
【図６】
0005785328.tif 000007
【図７】
0005785328.tif 000008
【図８】
0005785328.tif 000009